(57)【要約】【課題】検出精度を向上可能な現金管理装置の提供。【解決手段】棒金Ｂが立位姿勢で載置される座部６０を複数備え、これら座部６０には、載置された棒金Ｂを検出する磁気センサ６８がそれぞれ設けられており、座部６０には、載置物の重量に応じて変形して載置物と磁気センサ６８との距離を変化させる変形部７１が設けられている。これにより、座部６０に載置された載置物の重量に応じて磁気センサ６８の検出結果を異ならせることができる。【選択図】図６
2016177616.tif 000002
【特許請求の範囲】
【請求項１】
棒金が立位姿勢で載置される座部を複数備え、
これら座部には、載置された棒金を検出する磁気センサがそれぞれ設けられている現金管理装置であって、
前記座部には、載置物の重量に応じて変形して載置物と前記磁気センサとの距離を変化させる変形部が設けられていることを特徴とする現金管理装置。
【請求項２】
前記変形部は、所定重量以上の載置物が載置されると該載置物と前記磁気センサとの距離を該磁気センサの検出有効範囲以内にすることを特徴とする請求項１記載の現金管理装置。
【請求項３】
前記変形部の前記所定重量が、金種によらず一定重量に設定されていることを特徴とする請求項２記載の現金管理装置。
【請求項４】
複数の前記座部は、それぞれ載置対象棒金の金種が設定されており、
前記変形部の前記所定重量は、当該変形部が設けられた前記座部の前記載置対象棒金の金種に応じて設定されていることを特徴とする請求項２記載の現金管理装置。
【請求項５】
前記変形部は、非金属材料からなることを特徴とする請求項１乃至４のいずれか一項記載の現金管理装置。
【発明の詳細な説明】
【技術分野】
【０００１】
本発明は、現金の管理に用いられる現金管理装置に関する。
【背景技術】
【０００２】
現金管理装置本体から引き出し可能に設けられた複数の収納庫に現金を収納し、現金の入出庫を行う現金管理装置がある（例えば特許文献１参照）。この現金管理装置には、複数の収納庫の中に棒金用の収納庫が設けられている。この棒金用の収納庫は、棒金が立位姿勢で載置される座部を複数備えており、各座部に形成された穴を介して反射センサで棒金を検出するようになっている。
【先行技術文献】
【特許文献】
【０００３】
【特許文献１】特開２０１３−１１８０１６号公報
【発明の概要】
【発明が解決しようとする課題】
【０００４】
上記の現金管理装置では、反射センサが座部に形成された穴を介して棒金を検出することから、バラ硬貨が混入した場合に、これが座部に載置されてしまうと、これを棒金と誤検出してしまう可能性があった。
【０００５】
本発明は、上記の点に鑑みなされたもので、検出精度を向上可能な現金管理装置の提供を目的とする。
【課題を解決するための手段】
【０００６】
上記目的を達成するために、請求項１に係る発明は、棒金が立位姿勢で載置される座部を複数備え、これら座部には、載置された棒金を検出する磁気センサがそれぞれ設けられている現金管理装置であって、前記座部には、載置物の重量に応じて変形して載置物と前記磁気センサとの距離を変化させる変形部が設けられていることを特徴とする。
【０００７】
請求項２に係る発明は、請求項１に係る発明において、前記変形部は、所定重量以上の載置物が載置されると該載置物と前記磁気センサとの距離を該磁気センサの検出有効範囲以内にすることを特徴とする。
【０００８】
請求項３に係る発明は、請求項２に係る発明において、前記変形部の前記所定重量が、金種によらず一定重量に設定されていることを特徴とする。
【０００９】
請求項４に係る発明は、請求項２に係る発明において、複数の前記座部は、それぞれ載置対象棒金の金種が設定されており、前記変形部の前記所定重量は、当該変形部が設けられた前記座部の前記載置対象棒金の金種に応じて設定されていることを特徴とする。
【００１０】
請求項５に係る発明は、請求項１乃至４のいずれか一項に係る発明において、前記変形部は、非金属材料からなることを特徴とする。
【発明の効果】
【００１１】
請求項１に係る発明によれば、変形部が、座部に載置された載置物の重量に応じて変形して載置物と磁気センサとの距離を変化させる。よって、棒金が座部に載置された場合と、バラ硬貨が座部に載置された場合とで、磁気センサの検出結果が異なることになる。よって、棒金とバラ硬貨とを区別することができる。したがって、誤検出を抑制可能となり、検出精度を向上可能となる。
【００１２】
請求項２に係る発明によれば、座部に所定重量以上の載置物が載置されると変形部が磁気センサと載置物との距離を磁気センサの検出有効範囲以内にすることになる。このため、所定重量以上となる棒金は磁気センサで正常に検出できることになり、所定重量未満となるバラ硬貨は磁気センサで正常に検出できなくなる。よって、棒金とバラ硬貨とを区別することができる。したがって、誤検出を抑制可能となり、検出精度を向上可能となる。
【００１３】
請求項３に係る発明によれば、複数の座部のそれぞれの変形部の前記所定重量が金種によらず一定重量に設定されているため、特性の異なる複数の変形部を用いる場合と比べてコストを低減することができる。
【００１４】
請求項４に係る発明によれば、複数の座部のそれぞれの変形部の前記所定重量が、当該変形部が設けられた座部の載置対象棒金の金種に応じて設定されているため、同等の特性の複数の変形部を用いる場合と比べて、誤検出をより抑制可能となり、検出精度をより向上可能となる。
【００１５】
請求項５に係る発明によれば、変形部は、非金属材料からなることから、磁気センサの検出に及ぼす影響を抑制することができる。
【図面の簡単な説明】
【００１６】
【図１】本発明の一実施形態に係る現金管理装置を示す斜視図である。
【図２】本発明の一実施形態に係る現金管理装置を示す要部の制御系ブロック図である。
【図３】本発明の一実施形態に係る現金管理装置の棒金収納庫を示す斜視図である。
【図４】本発明の一実施形態に係る現金管理装置の棒金トレイを示す斜視図である。
【図５】本発明の一実施形態に係る現金管理装置の棒金トレイの座部を示すもので、（ａ）は分解斜視図、（ｂ）は組み立て斜視図である。
【図６】本発明の一実施形態に係る現金管理装置の棒金トレイの座部を示す断面図であって、（ａ）は棒金載置時を、（ｂ）はバラ硬貨載置時を示すものである。
【図７】本発明の一実施形態に係る現金管理装置の弾性体の変形例を示す断面図である。
【発明を実施するための形態】
【００１７】
本発明の一実施形態に係る現金管理装置を図面を参照して以下に説明する。
【００１８】
図１に示す本実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００１９】
現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿って引き出し可能となっている。これら収納庫１２は、前方に引き出されることで内部にアクセス可能となるように開かれ、後方に押し込まれると内部にアクセス不可となるように閉じられる。このように前後方向にのみ所定範囲でスライド可能となるように、各収納庫１２は現金管理装置本体１１に連結されている。
【００２０】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００２１】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２２】
現金管理装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、現金管理装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２３】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す小束収納庫１２（Ｂ）と棒金収納庫１２（Ｃ）とで共通となっている。枠体３４は、一対の側板部３２がスライドレール１３の一側に連結されており、スライドレール１３の他側が現金管理装置本体１１に連結されていて、これにより現金管理装置本体１１に対して引き出し可能となっている。
【００２４】
図３に示すように、棒金収納庫１２（Ｃ）は、棒金Ｂを入出庫可能に収納するものである。棒金収納庫１２（Ｃ）は、棒金Ｂを収納可能であって上記した枠体３４に取り付けられて固定される複数、具体的には、前後に金種径に応じて６つまたは５つ、左右に４列の合成樹脂製の棒金トレイ５５を有している。
【００２５】
ここで、各棒金トレイ５５は、それぞれ予め設定された単一の収納対象金種の棒金Ｂのみが収納されるように決められている。また、左右方向における同列に配置されて前後に１列に並ぶ複数の棒金トレイ５５は、全て収納対象金種が同一金種となっている。例えば、図１に示す３段の棒金収納庫１２（Ｃ）のうちの最も上段の棒金収納庫１２（Ｃ）は、最も左側および左から２番目の２列の棒金トレイ５５が共に１円棒金収納用、最も右側および右から２番目の２列の棒金トレイ５５が共に５円棒金収納用となっている。また、３段の棒金収納庫１２（Ｃ）のうちの上から２段目の棒金収納庫１２（Ｃ）は、最も左側および左から２番目の２列の棒金トレイ５５が共に１０円棒金収納用、最も右側および右から２番目の２列の棒金トレイ５５が共に５０円棒金収納用となっている。また、３段の棒金収納庫１２（Ｃ）のうちの最下段の棒金収納庫１２（Ｃ）は、最も左側および左から２番目の２列の棒金トレイ５５が共に１００円棒金収納用、最も右側および右から２番目の２列の棒金トレイ５５が共に５００円棒金収納用となっている。勿論、各棒金収納庫１２（Ｃ）への収納金種は任意に設定可能であり、頻繁に出庫が行われる金種（１円棒金、１０円棒金および１００円棒金）を一つの棒金収納庫１２（Ｃ）に纏めて収納するようにしても良い。また、左右方向における同列に配置されて前後に１列に並ぶ複数の棒金トレイ５５は、必ずしも全て収納対象金種が同一金種となっていなくても良い。
【００２６】
棒金Ｂは、単一金種の硬貨を所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。
【００２７】
図３に示すように、棒金トレイ５５には、棒金Ｂが中心軸線を上下方向に沿わせた立位状態で収納される。棒金トレイ５５は、図４に示すように、円筒を一部切り取った形状の湾曲面５６を、複数具体的には左側の３カ所と右側の３カ所と前端１カ所と後端１カ所の８カ所に有する鉛直方向に沿う壁部５７と、壁部５７の下部を閉塞する水平方向に沿う底部５８とを有している。壁部５７および底部５８は、下方に凹む上方開口形状の棒金収納凹部５９を構成している。湾曲面５６は左側の３カ所が左右方向の位置を合わせており、右側の３カ所も左右方向の位置を合わせている。左右前端の湾曲面５６は前後方向の位置を合わせており、中央前端の湾曲面５６はこれらよりも前側に配置されている。左右後端の湾曲面５６は前後方向の位置を合わせており、中央後端の湾曲面５６はこれらよりも後側に配置されている。
【００２８】
これにより、棒金トレイ５５の棒金収納凹部５９には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられ、合計１０本の棒金Ｂが収納されるようになっている。左右の棒金Ｂは前後方向の位置を互いに合わせており、中央の棒金Ｂは、これらに対して前後方向の位置をずらしている。棒金Ｂは、棒金収納凹部５９に、その上部開口を介して上方から挿入されることになり、棒金収納凹部５９の壁部５７および他の棒金Ｂで支持されて中心軸線を鉛直配置した立位状態に維持される。
【００２９】
底部５８には、各湾曲面５６と同心をなす８カ所と、これらの内側の前後２カ所とに、各棒金Ｂを立位姿勢で載置させる平面視円形状の座部６０が、これら座部６０の周囲にある底部５８の最深面５８ａよりも上方に突出するように形成されている。このように複数設けられた座部６０は、左側の３カ所が左右方向の位置を合わせて前後１列に並べられており、左右方向中央の４カ所が左右方向の位置を合わせて前後１列に並べられていて、右側の３カ所が左右方向の位置を合わせて前後１列に並べられている。
【００３０】
複数の座部６０は、すべて同様の構成となっている。図５に示すように、座部６０は、円筒状に形成されて座部６０の外周部を構成する外周構成部６１と、外周構成部６１の内側に同軸の円柱状に形成されて座部６０の中央部を構成する中央構成部６２と、図６に示すように、外周構成部６１および中央構成部６２を連結する連結部６３とを有している。外周構成部６１の上端面６１ａと中央構成部６２の上端面６２ａとは、同高さ位置で水平に配置されており、よって、同一の水平面に配置されている。連結部６３は、外周構成部６１と中央構成部６２との間の上面６３ａが水平に配置されており、この上面６３ａの高さ位置が外周構成部６１の上端面６１ａおよび中央構成部６２の上端面６２ａの高さ位置よりも低くなっている。これにより、座部６０には、外周構成部６１と中央構成部６２との間に、円環状をなして下方に凹む環状溝６５が形成されている。連結部６３の上面６３ａは環状溝６５の底面となっている。
【００３１】
中央構成部６２には、これを含む座部６０に載置された主として棒金Ｂの磁気情報を検出する磁気センサ６８が、中央構成部６２の水平方向の中央つまり座部６０の水平方向の中央に埋設されている。磁気センサ６８は、中央構成部６２の上端面６２ａよりも下側に設けられている。
【００３２】
図５に示すように、外周構成部６１と中央構成部６２との間つまり環状溝６５には、弾性変形可能な円筒状の弾性体（変形部）７１が配置されている。弾性体７１は、図６に示すように連結部６３の上面６３ａに載置されており、必要によりこの上面６３ａに下面が接着されている。
【００３３】
弾性体７１は、図５（ｂ）に示すように、何も載置されない状態では、その上端面７１ａが、外周構成部６１の上端面６１ａおよび中央構成部６２の上端面６２ａの高さ位置よりも高い位置で水平に配置される。弾性体７１は、上端面７１ａに載置される載置物の重量に応じた変形量で弾性変形する。よって、弾性体７１は、載置物の重量に応じて変形して載置物と中央構成部６２に埋設された磁気センサ６８との距離を変化させる。
【００３４】
図６（ａ）に示すように、座部６０の最大外径である外周構成部６１の外径は、棒金Ｂの包装紙の加締部Ｋｂの内径よりも小さくされており、座部６０の外周構成部６１および中央構成部６２の最深面５８ａからの突出高さは加締部Ｋｂの最も近い硬貨Ｃｂからの突出高さよりも大きくなっている。これにより、座部６０は、棒金Ｂの加締部Ｋｂを逃げて、棒金Ｂの最下の硬貨Ｃｂを直接支持するようになっている。
【００３５】
上記のように、各棒金トレイ５５は、それぞれ予め設定された単一の収納対象金種の棒金Ｂのみが収納されるように決められている。このため、座部６０も、それぞれ載置対象棒金の金種が設定されている。弾性体７１は、所定重量以上の載置物が載置されると載置物と磁気センサ６８との距離をこの磁気センサ６８の検出有効範囲以内にする。すべての座部６０に設けられる弾性体７１は、上記の所定重量が、それぞれが設けられる座部６０の載置対象棒金の金種によらず一定重量に設定されている。つまり、すべての座部６０に設けられる弾性体７１は、いずれの座部６０にも配置可能な共通部品となっている。
【００３６】
具体的に、弾性体７１は、現金管理装置１０の収納庫１２に収納可能な全種類の棒金Ｂのうち最軽量の棒金Ｂつまり１円硬貨の棒金Ｂが載置されると、図６（ａ）に示すように、この棒金Ｂの重量（５０ｇ）で変形して、この棒金Ｂの硬貨Ｃｂの部分を外周構成部６１の上端面６１ａおよび中央構成部６２の上端面６２ａに直接接触させて、この棒金Ｂと磁気センサ６８との距離を最小として磁気センサ６８の検出有効範囲以内にする。
【００３７】
また、弾性体７１は、収納庫１２に収納可能な棒金Ｂを構成する全金種のバラ硬貨Ｃのうち最重量のバラ硬貨Ｃつまり旧５００円硬貨（７．２ｇ）が載置されると、このバラ硬貨Ｃの重量で変形しても、図６（ｂ）に示すように、このバラ硬貨Ｃを外周構成部６１の上端面６１ａおよび中央構成部６２の上端面６２ａに直接接触させることはなく、上端面６１ａ，６２ａから所定距離（例えば１．５ｍｍ）離間させて、このバラ硬貨Ｃと磁気センサ６８との距離Ｌを磁気センサ６８の検出有効範囲よりも長くする。これにより、弾性体７１は、収納庫１２に収納可能な棒金Ｂが載置されるといずれの金種の棒金Ｂが載置されても、棒金Ｂと磁気センサ６８との距離をこの磁気センサ６８の検出有効範囲以内にする。一方、弾性体７１は、バラ硬貨Ｃが載置されるといずれの金種のバラ硬貨Ｃが載置されても、バラ硬貨Ｃと磁気センサ６８との距離をこの磁気センサ６８の検出有効範囲外にする。
【００３８】
ここで、最軽量の棒金Ｂを載置させた状態での弾性体７１の変形量は、棒金Ｂと磁気センサ６８との距離をこの磁気センサ６８の検出有効範囲以内にすることができれば、棒金Ｂの硬貨Ｃｂの部分を外周構成部６１の上端面６１ａおよび中央構成部６２の上端面６２ａに直接接触させなくても良く、若干の隙間があっても良い。
【００３９】
弾性体７１の材質は、磁気センサ６８の検出に影響を及ぼすことがない非金属材料となっており、具体的には樹脂材料（ゴム、ウレタン等）の多孔体（スポンジ）となっている。弾性体７１には、内部へ鉄粉等の粉塵が入り込むのを防止するために、上面に樹脂等の保護シートを貼着しても良い。この場合、保護シートの上面が上端面７１ａとなる。
【００４０】
左右方向における同列に配置されて前後に並ぶ棒金トレイ５５は、全て収納対象金種が同一金種となっており、各列の最も前側の棒金トレイ５５は、収納本数が不足した状態でも棒金Ｂを倒さずに収納可能な端数用となっている。そして、端数用の棒金トレイ５５には、図４に示すように、棒金Ｂの転倒防止用の複数具体的には１０本の補助棒７３が隣り合う座部６０の間位置に立設されており、端数用であることを明示する端数明示部７４が棒金収納凹部５９より外側に設けられている。また、棒金トレイ５５には、収納対象の金種を目視可能に明示する金種明示部７５が棒金収納凹部５９より外側に設けられている（図４は１円棒金の例）。
【００４１】
１０本の補助棒７３は、棒金収納凹部５９の中央の前後の座部６０を、２本共通でそれぞれを６本が囲むように配置されている。これにより、各湾曲面５６の内側に同軸に配置される棒金Ｂは、湾曲面５６とこれに対向する２本あるいは３本の補助棒７３とで単独でも立位状態に維持されることになり、棒金収納凹部５９の中央位置に配置される棒金Ｂは、それぞれ６本の補助棒７３で単独でも立位状態に維持されることになる。その結果、最も前側の棒金トレイ５５の棒金Ｂは、他の棒金Ｂがなくても転倒が防止され立位状態に維持されるようになっている。
【００４２】
ここで、最も前側を除く棒金トレイ５５には必ず棒金Ｂを満杯状態つまり１０本収納し、棒金Ｂを満杯状態以外で収納する場合には、最も前側の棒金トレイ５５に収納することがルール化されており、操作者である係員は、最も前側の棒金トレイ５５から棒金Ｂを必要数だけ取り出し、最も前側の棒金トレイ５５が空になり、その後側の棒金トレイ５５から棒金Ｂを取り出す場合には、この後側の棒金トレイ５５の残りの端数の棒金Ｂを、最も前側の棒金トレイ５５に移載するようになっている。
【００４３】
現金管理装置本体１１には、収納庫１２が現金管理装置本体１１に最も押し込まれた後端位置である全閉位置にあることを検知する図２に示す全閉検知センサ８０が収納庫１２のそれぞれに対して設けられている。全閉検知センサ８０は、収納庫１２が全閉位置にないこと、つまり収納庫１２が開位置にあることをも検知する。
【００４４】
加えて、現金管理装置本体１１には、収納庫１２を個別に全閉位置でロックするロック機構２２が設けられている。ロック機構２２は、制御部２５から出力される開指令信号で開状態となる。制御部２５は、開状態とした収納庫１２が現金管理装置本体１１から引き出されたことが全閉検知センサ８０で検出されると、開指令信号を停止させることになり、この状態でロック機構２２は、収納庫１２が全閉位置に戻されると、収納庫１２を引き出し不可に自動的かつ機械的にロックする。制御部２５は、一の収納庫１２が現金管理装置本体１１から引き出されたことが全閉検知センサ８０で検出された後、この一の収納庫１２が全閉位置に戻されたことが全閉検知センサ８０で検出されると、この一の収納庫１２に収納された棒金Ｂの金種別の数を全ての磁気センサ６８の検出結果から把握して、記憶部２６に直前の取引内容とともに記憶し、表示部１７に表示させる。
【００４５】
つまり、制御部２５は、磁気センサ６８が検出したデータが、記憶部２６に記憶された１円硬貨の棒金Ｂの判定範囲内にあれば、この磁気センサ６８が設けられた座部６０に１円硬貨の棒金Ｂが載置されていると判定する。また、制御部２５は、磁気センサ６８が検出したデータが、記憶部２６に記憶された５円硬貨の棒金Ｂの判定範囲内にあれば、この磁気センサ６８が設けられた座部６０に５円硬貨の棒金Ｂが載置されていると判定する。また、制御部２５は、磁気センサ６８が検出したデータが、記憶部２６に記憶された１０円硬貨の棒金Ｂの判定範囲内にあれば、この磁気センサ６８が設けられた座部６０に１０円硬貨の棒金Ｂが載置されていると判定する。また、制御部２５は、磁気センサ６８が検出したデータが、記憶部２６に記憶された５０円硬貨の棒金Ｂの判定範囲内にあれば、この磁気センサ６８が設けられた座部６０に５０円硬貨の棒金Ｂが載置されていると判定する。また、制御部２５は、磁気センサ６８が検出したデータが、記憶部２６に記憶された１００円硬貨の棒金Ｂの判定範囲内にあれば、この磁気センサ６８が設けられた座部６０に１００円硬貨の棒金Ｂが載置されていると判定する。また、制御部２５は、磁気センサ６８が検出したデータが、記憶部２６に記憶された５００円硬貨の棒金Ｂの判定範囲内にあれば、この磁気センサ６８が設けられた座部６０に５００円硬貨の棒金Ｂが載置されていると判定する。
【００４６】
他方、制御部２５は、磁気センサ６８が検出したデータが、いずれの金種の棒金Ｂの判定範囲内にもなければ、座部６０に棒金Ｂが載置されていないと判定する。すなわち、１円、５円、１０円、５０円、１００円および５００円のいずれのバラ硬貨Ｃが座部６０に載置されていても、このバラ硬貨Ｃを弾性体７１が磁気センサ６８から離すことになり、その結果、この磁気センサ６８が検出したデータは、すべての棒金Ｂの判定範囲外になる。よって、バラ硬貨Ｃを棒金Ｂとして誤検出してしまうことがなくなる。したがって、収納庫１２に収納された棒金Ｂの金種別の数を制御部２５が誤って把握してしまうことを抑制でき、正確に把握することができる。
【００４７】
また、制御部２５は、各棒金トレイ５５に収納すべき設定金種以外の棒金Ｂが収納されている誤収納を検出する。つまり、すべての磁気センサ６８について検出されるべき棒金の金種データ、つまり磁気センサ６８が設けられた座部６０の載置対象棒金の金種データが、予め記憶部２６に記憶されており、制御部２５は、このデータと各棒金トレイ５５の各磁気センサ６８の検出結果とを比較する。そして、制御部２５は、磁気センサ６８で検出されるべき金種の棒金が磁気センサ６８で検出されれば、収納が適正であると判定し、磁気センサ６８で検出されるべき金種の棒金とは異なる金種の棒金が磁気センサ６８で検出されれば、収納が適正でない誤収納であると判定する。例えば、検出されるべき棒金Ｂの金種が１００円硬貨であると記憶部２６の記憶内容から把握した座部６０に、磁気センサ６８の検出結果から１０円硬貨の棒金Ｂが載置されていることを検出すると、誤収納とする。この場合、制御部２５は、誤収納の内容（棒金Ｂが誤収納されている座部６０の位置情報と、誤収納の金種と、適正な金種とを含む内容）を表示部１７に表示させる等して操作者に報知する。
【００４８】
以上に述べた本実施形態に係る現金管理装置１０によれば、弾性体７１が、座部６０に載置された載置物の重量に応じて変形して載置物と磁気センサ６８との距離を変化させる。よって、棒金Ｂが座部６０に載置された場合と、この棒金Ｂと同じ金種のバラ硬貨Ｃが座部６０に載置された場合とで、材質が同じであっても磁気センサ６８の検出結果が異なることになる。つまり、棒金Ｂとバラ硬貨Ｃとの重量差を利用して同金種の棒金Ｂとバラ硬貨Ｃとを区別することになる。したがって、誤検出を抑制可能となり、検出精度を向上可能となる。
【００４９】
また、弾性体７１が、所定重量以上の載置物が座部６０に載置されると磁気センサ６８と載置物との距離を磁気センサ６８の検出有効範囲以内にすることになる。このため、所定重量以上となる棒金Ｂは磁気センサ６８で正常に検出できることになり、所定重量未満となるバラ硬貨Ｃは磁気センサ６８で正常に検出できなくなる。よって、棒金Ｂとバラ硬貨Ｃとを区別することができる。したがって、誤検出を抑制可能となり、検出精度を向上可能となる。
【００５０】
また、複数の座部６０のそれぞれの弾性体７１の前記所定重量が金種によらず一定重量に設定されているため、特性の異なる複数の弾性体７１を用いる場合と比べてコストを低減することができる。
【００５１】
また、弾性体７１は、非金属材料からなることから、磁気センサ６８の検出に及ぼす影響を抑制することができる。
【００５２】
ここで、弾性体７１は、載置物の重量に応じて変形して載置物と磁気センサ６８との距離を変化させることができれば良く、例えば、図７に示す弾性体７１Ａに変更することができる。この弾性体７１Ａは、円板状の蓋部９０と、蓋部９０の外周縁部から軸方向一側に延出する筒部９１とを有する有蓋円筒状をなすとともに筒部９１に蛇腹状のバネ部９２が形成された樹脂バネである。この弾性体７１Ａは、筒部９１が環状溝６５に挿入されることになり、載置物の重量によってバネ部９２の変形量が変化して載置物と磁気センサ６８との距離を変化させる。この弾性体７１Ａは、例えば、合成樹脂のシート材を加熱して金型に密着させて上記形状に形成される。
【００５３】
弾性体７１は、所定重量以上の載置物が載置されると載置物と磁気センサ６８との距離をこの磁気センサ６８の検出有効範囲以内にすることになるが、この所定重量を、弾性体７１が設けられた座部６０の載置対象棒金の金種に応じて設定しても良い。
【００５４】
例えば、載置対象棒金の金種が１円硬貨である座部６０に設けられた弾性体７１は、上記と同様に、１円硬貨の棒金Ｂが載置されると、この棒金Ｂの重量（５０ｇ）で変形して、この棒金Ｂと磁気センサ６８との距離を磁気センサ６８の検出有効範囲以内にする一方、最重量のバラ硬貨Ｃつまり５００円硬貨（７．２ｇ）が載置されると、このバラ硬貨Ｃと磁気センサ６８との距離を磁気センサ６８の検出有効範囲外とする。
【００５５】
また、載置対象棒金の金種が５円硬貨である座部６０に設けられた弾性体７１は、５円硬貨の棒金Ｂが載置されると、この棒金Ｂの重量（１８５ｇ）で変形して、この棒金Ｂと磁気センサ６８との距離を磁気センサ６８の検出有効範囲以内にする一方、これより軽量の１円硬貨の棒金Ｂが載置されると、この棒金Ｂと磁気センサ６８との距離を磁気センサ６８の検出有効範囲外とする。
【００５６】
また、載置対象棒金の金種が５０円硬貨である座部６０に設けられた弾性体７１は、５０円硬貨の棒金Ｂが載置されると、この棒金Ｂの重量（２００ｇ）で変形して、この棒金Ｂと磁気センサ６８との距離を磁気センサ６８の検出有効範囲以内にする一方、これより軽量の１円硬貨の棒金Ｂおよび５円硬貨の棒金Ｂのいずれが載置されても、この棒金Ｂと磁気センサ６８との距離を磁気センサ６８の検出有効範囲外とする。
【００５７】
また、載置対象棒金の金種が１０円硬貨である座部６０に設けられた弾性体７１は、１０円硬貨の棒金Ｂが載置されると、この棒金Ｂの重量（２２５ｇ）で変形して、この棒金Ｂと磁気センサ６８との距離を磁気センサ６８の検出有効範囲以内にする一方、これより軽量の１円硬貨の棒金Ｂ、５円硬貨の棒金Ｂおよび５０円硬貨の棒金Ｂのいずれが載置されても、この棒金Ｂと磁気センサ６８との距離を磁気センサ６８の検出有効範囲外とする。
【００５８】
また、載置対象棒金の金種が１００円硬貨である座部６０に設けられた弾性体７１は、１００円硬貨の棒金Ｂが載置されると、この棒金Ｂの重量（２４０ｇ）で変形して、この棒金Ｂと磁気センサ６８との距離を磁気センサ６８の検出有効範囲以内にする一方、これより軽量の１円硬貨の棒金Ｂ、５円硬貨の棒金Ｂ、５０円硬貨の棒金Ｂおよび１０円硬貨の棒金Ｂのいずれが載置されても、この棒金Ｂと磁気センサ６８との距離を磁気センサ６８の検出有効範囲外とする。
【００５９】
また、載置対象棒金の金種が５００円硬貨である座部６０に設けられた弾性体７１は、５００円硬貨の棒金Ｂが載置されると、この棒金Ｂの重量（新５００円硬貨３５０ｇ）で変形して、この棒金Ｂと磁気センサ６８との距離を磁気センサ６８の検出有効範囲以内にする一方、これより軽量の１円硬貨の棒金Ｂ、５円硬貨の棒金Ｂ、５０円硬貨の棒金Ｂ、１０円硬貨の棒金Ｂおよび１００円硬貨の棒金Ｂのいずれが載置されても、この棒金Ｂと磁気センサ６８との距離を磁気センサ６８の検出有効範囲外とする。
【００６０】
このように構成すれば、座部６０に載置された載置対象金種以外の軽量棒金Ｂをも簡単に検出することができる。したがって、同等の特性の複数の弾性体７１を用いる場合と比べて、誤検出をより抑制可能となり、検出精度をより向上可能となる。
【符号の説明】
【００６１】
１０  現金管理装置
６０  座部
６８  磁気センサ
７１  弾性体（変形部）
Ｂ  棒金
Ｃ  バラ硬貨
【図１】
2016177616.tif 000003
【図２】
2016177616.tif 000004
【図３】
2016177616.tif 000005
【図４】
2016177616.tif 000006
【図５】
2016177616.tif 000007
【図６】
2016177616.tif 000008
【図７】
2016177616.tif 000009